(57)【要約】【課題】本発明は、軸流ファンの基本的な構造を変えることなく、風量が増加でき、騒音も小さくできる軸流ファンを達成することにある。【解決手段】電動機２の回転子２１の径方向外方へ突出し且つ回転子２１の周方向に配列された羽根３を回転させる固定子２２と、固定子２２を支持する支持部４と、羽根３を回転子２１の径方向外方から囲む主風洞部５１と、支持部４から回転子２１の径方向外方に向けて突出し且つ支持部４及び主風洞部５１を連結する連結部６と、主風洞部５１を取付けるための取付部８と、主風洞部５１から分離可能な副風洞部５２を備えている。【選択図】図２
2018173072.tif 000002
【特許請求の範囲】
【請求項１】
電動機の回転子の径方向外方へ突出し前記回転子の周方向に配列された複数の羽根を回転させる固定子と、前記固定子を支持する支持部と、前記羽根を前記回転子の径方向外方から囲む風洞部と、前記支持部から前記回転子の径方向外方に向けて突出し且つ前記支持部及び前記風洞部を連結する複数の連結部と、前記風洞部に設けられ且つ前記風洞部を取付けるための複数の取付部を備えた軸流ファンにおいて、前記風洞部が主風洞部及び前記主風洞部から分離可能な副風洞部から構成されていることを特徴とする軸流ファン。
【請求項２】
前記副風洞部が、前記取付部の前記回転子の径方向内方に設けられ且つ前記取付部の接触部に仮止めされていることを特徴とする請求項１に記載の軸流ファン。
【請求項３】
前記副風洞部が、前記取付部の前記回転子の径方向外方に設けられ且つ前記取付部の接触部に仮止めされていることを特徴とする請求項１に記載の軸流ファン。
【発明の詳細な説明】
【技術分野】
【０００１】  本発明は、軸流ファンに関し、詳しくは風量特性を向上した軸流ファンに関する。
【背景技術】
【０００２】  従来の軸流ファンは、電動機の回転子の径方向外方へ突出し且つ前記回転子の周方向に配列された複数の羽根を回転させる固定子と、前記固定子を支持する支持部と、前記羽根を前記回転子の径方向外方から囲む風洞部と、前記支持部から前記回転子の径方向外方に向けて突出し且つ前記支持部及び前記風洞部を連結する複数の連結部と、前記風洞部に設けられ且つ前記風洞部を取付けるための複数の取付部を備えた軸流ファンにおいて、前記風洞部の一部に複数の孔が形成されている（例えば、特許文献１参照）。【０００３】  しかしながら、従来の軸流ファンは、風洞部が羽根を保護する利点はあるが、孔の通風抵抗が大きいため風量が低下するだけでなく、騒音も大きいという欠点があった。
【先行技術文献】
【特許文献】
【０００４】
【特許文献１】国際公開第２００９／０５７０６３号公報
【発明の概要】
【発明が解決しようとする課題】
【０００５】  本発明は、上記の従来技術の欠点を解決するもので、軸流ファンの基本的な構造を変えることなく、使用前には風洞部が羽根を保護し、使用時には風量が増加でき、騒音も小さくできる軸流ファンを提供することを目的としている。
【課題を解決するための手段】
【０００６】  上記目的を達成するため、請求項１に記載の軸流ファンは、電動機の回転子の径方向外方へ突出し且つ前記回転子の周方向に配列された複数の羽根を回転させる固定子と、前記固定子を支持する支持部と、前記羽根を前記回転子の径方向外方から囲む風洞部と、前記支持部から前記回転子の径方向外方に向けて突出し且つ前記支持部及び前記風洞部を連結する複数の連結部と、前記風洞部に設けられ且つ前記風洞部を取付けるための複数の取付部を備えた軸流ファンにおいて、前記風洞部が主風洞部及び前記主風洞部から分離可能な副風洞部から構成されている。【０００７】  また、請求項２に記載の軸流ファンは、請求項１に記載の軸流ファンにおいて、前記副風洞部が前記取付部の前記回転子の径方向内方に設けられ且つ前記取付部の接触部に仮止めされている。【０００８】  また、請求項３に記載の軸流ファンは、請求項１に記載の軸流ファンにおいて、前記副風洞部が、前記取付部の前記回転子の径方向外方に設けられ且つ前記取付部の接触部に仮止めされている。
【発明の効果】
【０００９】  上記の説明から明らかなように、請求項１に記載の軸流ファンは、電動機の回転子の径方向外方へ突出し且つ回転子の周方向に配列された複数の羽根を回転させる固定子と、固定子を支持する支持部と、羽根を回転子の径方向外方から囲む風洞部と、支持部から回転子の径方向外方に向けて突出し且つ支持部及び風洞部を連結する複数の連結部と、風洞部に設けられ且つ風洞部を取付けるための複数の取付部を備えた軸流ファンにおいて、風洞部が主風洞部及び主風洞部から分離可能な副風洞部から構成されているため、主風洞部を機器に取付けた後、副風洞部を主風洞部から分離することで、通風抵抗の減少により風量を増加することができるだけでなく、騒音を小さくすることもできる。【００１０】  また、請求項２に記載の軸流ファンは、請求項１に記載の軸流ファンにおいて、副風洞部が、取付部の回転子の径方向内方に設けられ且つ取付部の接触部に仮止めされているため、主風洞部を機器に取付けた後、主風洞部から副風洞部を容易に羽根を傷つけることなく分離することができる。【００１１】  また、請求項３に記載の軸流ファンは、請求項１に記載の軸流ファンにおいて、副風洞部が、取付部の回転子の径方向外方に設けられ且つ取付部の接触部に仮止めされているため、主風洞部を機器に取付けた後、主風洞部から副風洞部を容易に羽根を傷つけることなく分離することができる。
【図面の簡単な説明】
【００１２】
【図１】本発明を実施するための第１の最良の形態の構成を示す正面図である。
【図２】図１のＡ−Ａ矢視の第１の最良の形態の構成を示す部分断面側面図である。
【図３】図１のＡ−Ａ矢視の第１の最良の形態の作用を示す部分断面側面図である。
【図４】本発明を実施するための第２の最良の形態の構成を示す正面図である。
【図５】図４のＢ−Ｂ矢視の第２の最良の形態の構成を示す部分断面側面図である。
【図６】図４のＢ−Ｂ矢視の第２の最良の形態の作用を示す部分断面側面図である。
【発明を実施するための形態】
【００１３】  以下、本発明の最良の形態を図に基づいて説明する。
【実施例１】
【００１４】  本発明の実施例１を図１から図３に基づいて説明する。図１から図３に示すように軸流ファン１は、電動機２の回転子２１の径方向外方へ突出し且つ回転子２１の周方向に配列された７個の羽根３を回転させる固定子２２と、固定子２２を支持する支持部４と、羽根３を回転子２１の径方向外方から囲む主風洞部５１と、支持部４から回転子２１の径方向外方に向けて突出し且つ支持部４及び主風洞部５１を連結する４個の連結部６と、主風洞部５１に設けられ且つ主風洞部５１をコンピュータや家電製品などの機器７に固定する４個の取付部８と、主風洞部５１から分離可能な樹脂製の副風洞部５２を備えている。副風洞部５２は、取付部８の回転子２１の径方向内方に設けられ且つ副風洞部５２に設けられた凹部５２１及び取付部８の接触部８１の間の摩擦力で仮止めされている。取付部８には主風洞部５１を機器７に固定するための孔８２が設けられている。【００１５】  上記のように構成することで、主風洞部５１の取付部８の孔８２に図示しないねじなどの締結部材を挿入して主風洞部５１をコンピュータや家電製品などの機器７に固定してから、使用前に羽根３を保護していた副風洞部５２を、羽根３を傷つけないように主風洞部５１から分離し、固定子２２に通電すると回転子２１が回転して、空気９１及び空気９２が主風洞部５１を通過して、空気９３が機器７の開口部７１から流出する。【００１６】  本発明の軸流ファン１は、副風洞部５２が使用時にはなく空気９２も流入するため、従来の軸流ファンより通風抵抗が減少し、風量（空気９３の量）を増加することができるだけでなく、騒音を小さくすることもできる。【００１７】  凹部５２１及び取付部８の接触部８１の間の摩擦力は下記のような方法で発生させることができる。▲１▼樹脂製の副風洞部５２に弾性があり且つ取付部８の接触部８１より凹部５２１の回転子２１の径方向長さを大きくする。▲２▼４個の凹部５２１の間隔が僅かに違うようにする。▲３▼製作上の都合で取付部８にはテーパーが設けられている。▲４▼金型の製作精度の都合で４個の取付部８の位置や４個の凹部５２１の間隔が僅かに違う。
【実施例２】
【００１８】  実施例１と同一または同等の構成要素、部材などには同一の符号を付し、適宜重複した説明は省略する。以下、実施例２の特徴部分を中心に説明する。【００１９】  本発明の実施例２を図４から図６に基づいて説明する。図４から図６に示すように軸流ファン１は、回転子２１及び固定子２２からなる電動機２と、固定子２２を支持する支持部４と、羽根３の外方に設けられた主風洞部５１と、支持部４及び主風洞部５１を連結する連結部６と、機器７に固定する取付部８と、主風洞部５１から分離可能な薄い樹脂製のテープを端部で固着した副風洞部５２を備えている。副風洞部５２は取付部８の回転子２１の径方向外方に設けられ且つ取付部８の接触部８１の間の摩擦力で仮止めされている。【００２０】  上記のように構成することで、主風洞部５１の取付部８を機器７に固定してから、使用前には羽根３を保護していた副風洞部５２を、羽根３を傷つけないように主風洞部５１から分離し、固定子２２に通電すると回転子２１が回転して、空気９１及び空気９２が主風洞部５１を通過して、空気９３が機器７の開口部７１から流出する。【００２１】  本発明の軸流ファン１は、副風洞部５２が使用時にはなく空気９２も流入するため、従来の軸流ファンより通風抵抗が減少し、風量（空気９３の量）を増加することができるだけでなく、騒音を小さくすることもできる。【００２２】  本発明の範囲内で、任意に変形や応用が可能である。凹部５２１及び接触部８１の仮止めは摩擦力だけでなく、粘着力などでも良い。また、実施例１では、副風洞部５２の形状は取付部８に接する凹部を設けた略四角形でも良い。また、副風洞部５２は厚紙製でも良い。また、実施例２では、副風洞部５２は薄く成形した樹脂製や厚紙製でも良い。
【産業上の利用可能性】
【００２３】  本発明は、軸流ファンを製造する産業で利用される。
【符号の説明】
【００２４】  １        軸流ファン
２        電動機
３        羽根
４        支持部
６        連結部
７        機器
８        取付部
２１        回転子
２２        固定子
５１        主風洞部
５２        副風洞部
８１        接触部
８２        孔
９１〜９３  空気
５２１      凹部
【図１】
2018173072.tif 000003
【図２】
2018173072.tif 000004
【図３】
2018173072.tif 000005
【図４】
2018173072.tif 000006
【図５】
2018173072.tif 000007
【図６】
2018173072.tif 000008